(57)【要約】  【課題】分厚い書類を綴じるための書類ファイルの表表紙と裏表紙が自由にひらくのを簡単な構成で防止し、書類を表表紙と裏表紙との間にしっかりと保持できるようにする。  【解決手段】書類ファイル１は、表表紙３と、裏表紙４と、背表紙２と、綴じ具５とを有する。表表紙３と裏表紙４の中の一方の表紙４の開放側縁側の略中間部に帯状部材９の一端が取り付けられている。表表紙３と裏表紙４の中の他方の表紙３の開放側縁側の略中間部には通し穴８が形成されている。書類ファイル１に書類６を綴じた後、帯状部材９の先端を通し穴８に通し、しかる後、帯状部材９の先端側を、帯状部材側に設けた留め具１１，１２によって、帯状部材９に脱着自在に止着し、表表紙３と裏表紙４の開放部を、帯状部材９によって塞ぐ。【選択図】図４
2006224575.tif 000002
【特許請求の範囲】
【請求項１】
表表紙と、裏表紙と、背表紙と、綴じ具とを有する書類ファイルであって、表表紙と裏表紙の中の一方の表紙の開放側縁側の略中間部に帯状部材の一端を取り付け、他方の表紙の開放側縁側の略中間部に通し穴を形成し、前記通し穴に通した帯状部材の先端側を該帯状部材側に脱着自在に止着するための留め具を前記帯状部材に設けたことを特徴とする書類ファイル。
【請求項２】
前記帯状部材の一端にバックルを取り付け、前記一方の表紙の開放側縁側の略中間部に取り付け穴を設け、該取り付け穴に前記帯状部材を通し、該帯状部材を前記バックルのスリットに挿入して該帯状部材の一端を前記一方の表紙の開放側縁の略中間に取り付けたことを特徴とする請求項１に記載の書類ファイル。
【請求項３】
前記帯状部材に該帯状部材を折り畳んだ状態に保持する留め具を設け、前記一方の表紙の内側に前記折り畳んだ帯状部材を前記一方の表紙の内側に脱着自在に係止する留め具を、前記一方の表紙の内側と前記帯状部材側とにそれぞれ設けたことを特徴とする請求項１に記載の書類ファイル。
【発明の詳細な説明】
【技術分野】
【０００１】
本発明は、表表紙と裏表紙と背表紙と綴じ具とを有し、表表紙と裏表紙との間に書類を綴じるための書類ファイルに関する。
【背景技術】
【０００２】
硬質の表表紙と裏表紙と背表紙を備え、表表紙と裏表紙間にバインダーなどの綴じ具を介して多量の書類を綴じることができる書類ファイルが従来知られている（例えば特許文献１参照）。
【特許文献１】特開２００４−３３８２６１号公報）
【発明の開示】
【発明が解決しようとする課題】
【０００３】
書類ファイルに多量の書類を綴じていると、書類ファイルの表紙が大きく開いてしまい、持ち運びに際し、きわめて扱いにくいという問題点がある。また、書類ファイルを床に落としたようなとき、そのショックぶ書類が綴じ具から外れ、多量の書類が散乱してしまうことがある。
本発明は上記問題点を解決することを目的とするものである。
【課題を解決するための手段】
【０００４】
上記目的を達成するため本発明は、表表紙と、裏表紙と、背表紙と、綴じ具とを有する書類ファイルであって、表表紙と裏表紙の中の一方の表紙の開放側縁側の略中間部に帯状部材の一端を取り付け、他方の表紙の開放側縁側の略中間部に通し穴を形成し、前記通し穴に通した帯状部材の先端側を該帯状部材側に脱着自在に止着するための留め具を前記帯状部材に設けたものである。
また本発明は、前記帯状部材の一端にバックルを取り付け、前記一方の表紙の開放側縁側の略中間部に取り付け穴を設け、該取り付け穴に前記帯状部材を通し、該帯状部材を前記バックルのスリットに挿入して該帯状部材の一端を前記一方の表紙の開放側縁の略中間に取り付けたものである。
また本発明は、前記帯状部材に該帯状部材を折り畳んだ状態に保持する留め具を設け、前記一方の表紙の内側に前記折り畳んだ帯状部材を前記一方の表紙の内側に脱着自在に係止する留め具を、前記一方の表紙の内側と前記帯状部材側とにそれぞれ設けたものである。
【発明の効果】
【０００５】
本発明は、書類ファイルの開放部を帯状部材により掛け渡し、開放部を簡単にロックすることができるので、開放部が開くことがなく、持ち運びに便利であり、また、落下させても、中の書類が外に散乱することがない。
【発明を実施するための最良の形態】
【０００６】
以下に本発明の実施の形態を添付した図面を参照して詳細に説明する。
符号１は多数枚の書類を綴じることができる大容量型の書類ファイルであり、背表紙２と、表表紙３と、裏表紙４とを備え、背表紙２の内側の面に、書類６を綴じるための綴じ具５が取り付けられている。
【０００７】
図示する書類ファイル１は、本実施形態の書類ファイル１は、Ａ４の書類を略１０ｃｍの厚さで綴じることができ、書類の厚みに耐えることができるように、背表紙２、表表紙３、裏表紙４はそれぞれ硬い厚紙からなり、背表紙２は、その横幅が略１０ｃｍのものが用いられている。
【０００８】
なお、本発明は綴じ具の構造及び各表紙の寸法は特定のものに限定されるものではない。前記裏表紙４の開放側の側縁部４ａの略中間部には、ベルト用の取り付け穴７が穿設されてる。表表紙３の開放側の側縁部３ａの略中間部にも、前記取り付け穴７に対応する位置にベルト挿入用の通し穴８が穿設されている。
【０００９】
９はバックル１０の付いた帯状部材であり、該帯状部材９は、前記取り付け穴７に挿入されるとともに、バックル１０のスリットに挿入され、バックル１０に締め付けられて、このバックル１０を介して、帯状部材９の一方が、取り付け穴７に取り付けられている。
【００１０】
帯状部材９の一方の面には、面ファスナーからなる脱着自在な留め具１１，１２が固着され、留め具１１，１２どうしを接着することで、帯状部材９をループ状に止めることができるように構成されている。１３は、表表紙４の内側の面に固着された面ファスナーからなる留め具であり、この留め具１３に対応して、帯状部材９の他方の面に面ファスナーからなる留め具１４が固着されている。
【００１１】
前記留め具は、面ファスナーが最適であるが、本発明の実施に際しては、特に面ファスナーに限定されるものではなく、ホックその他の脱着自在型の留め具であればどの様な物でも良い。
【００１２】
上記した構成において、綴じ具５により、表表紙３と裏表紙４間に多数の書類６を綴じた状態において、帯状部材９の先端を通し穴８に通し、帯状部材９を通し穴８で折り返して、留め具１１，１２どうしを接着させ、帯状部材９の一方を帯状部材９の他方に接着する。
【００１３】
これにより、表表紙３と裏表紙４の開放側の側縁部３ａ，４ａの略中間部が帯状部材９により結合され、ファイルの開放部が帯状部材９により塞がれる。帯状部材９のロック作用により、表表紙３と裏表紙４は互いに略平行の閉じた状態を保持し、表表紙３と裏表紙４間でしっかりと書類６をする。
【００１４】
従って、書類ファイル１を床に落としたようなときでも、ファイルが開くことがないので、中の書類６が綴じ具から外れて散らばることがない。帯状部材９を使用しないときは、通し穴８から帯状部材９を外し、２つに折った状態で留め具１１，１２どうしを接着する。
【００１５】
帯状部材９をコンパクトな状態にして帯状部材９を裏表紙４に水平にし、留め具１４を、裏表紙４の内側の留め具１３に接着させておく。これにより、帯状部材９はコンパクトに折り畳まれた状態で裏表紙４の内側に貼りつけられ、外から目立つこともなくまた、ファイル操作の邪魔にもならない。
【図面の簡単な説明】
【００１６】
【図１】本発明に係る書類ファイルの外観図である。
【図２】本発明に係る書類ファイルの外観図である。
【図３】帯状部材の説明図である。
【図４】書類ファイルの外観図である。
【符号の説明】
【００１７】
１      書類ファイル
２      背表紙
３      表表紙  
４      裏表紙
５      綴じ具        
６      書類
７      取り付け穴
８      通し穴
９      帯状部材
１０    バックル
１１    留め具
１２    留め具
１３    留め具
１４    留め具
【図１】
2006224575.tif 000003
【図２】
2006224575.tif 000004
【図３】
2006224575.tif 000005
【図４】
2006224575.tif 000006